(57)【要約】      （修正有）【課題】汗をふくことができる巻きスカートを提供する。【解決手段】巻きスカートは、四辺形のタオル地よりなり、長辺の一辺にポケットを設ける。【選択図】図４
0003177723.tif 000002
【実用新案登録請求の範囲】
【請求項１】
四辺形のタオル地よりなることを特徴とした巻スカート。
【請求項２】
開口部が四辺形の１辺と並行で、開口部と前記一辺との距離が５ｃｍ未満で、開口部の逆側との距離が５ｃｍ以上になる位置に矩形のポケットを付けたことを特徴とする請求項１に記載の巻スカート。
【請求項３】
ポケットが着衣時に内側になる側に付けたことを特徴とする請求項１、または請求項２に記載の巻スカート。
【請求項４】
長辺の一辺にポケットを付けたことを特徴とする請求項１〜請求項３のいずれかに記載の巻スカート。
【考案の詳細な説明】
【技術分野】
【０００１】
本考案は、例えば、ウオーキングやジョギング時等の運動時に、パンツに上に付ける巻スカートに関するものである。
【背景技術】
【０００２】
最近の健康志向の高まりより、ウオーキングやジョギングする人が増加している。暑い季節に運動を行うと、当然、汗をかく。この対策として、いくつかの発明が開示されているが、これらは特別な衣服に提供を目指すものである。
【先行技術文献】
【特許文献】
【０００３】
【特許文献１】特開２００８−７５２３３号公報
【特許文献２】特開２００２−１０５７０１号公報
【考案の概要】
【考案が解決しようとする課題】
【０００４】
最近は健康志向が高まり、ウオーキングやジョギングする人が増えている。熱いときには汗をかくため、先に示すたような発明が開示されている。たとえば、汗をかくのは、まず、顔であり、顔の汗を拭くことが重要視されたため、シャツ等の上半身に着る、または付けるものの開発、改良がなされてきた。着た、または付けた状態で汗を拭くことを追及した結果、それらは、ややもすると複雑、かつ、高価になり、手軽に用いることができるという観点からは問題がありそうである。
【０００５】
汗をかけば、タオルで拭くという原点に返ることにした。しかし、タオルをウエストポーチにいれるとかさばる。一方、タオルを首に掛ける場合には落ちることもあり、なによりも、お洒落センスからも問題があり、女性向きとは言えない。女性が手軽に汗をふくことができ、かつ、お洒落のセンスの面からも満足できるものは、実用化していない状態である。女性の気持ちを念頭においた、センスが良く、使用しやすいものが求められている。
【課題を解決するための手段】
【０００６】
本考案は、従来からの発想を根本的に変えたもので、下半身に付けるスカートを、パンツの上に重ねて着る巻スカートとし、それに、汗を拭く機能を持たせたものである。
【０００７】
第１の考案は、四辺形のタオル地よりなることを特徴とした巻スカートである。
【０００８】
第２の考案は、第１の考案において、開口部が四辺形の１辺と並行で、開口部と前記一辺との距離が５ｃｍ未満で、開口部の逆側との距離が５ｃｍ以上になる位置に矩形のポケットを付けた巻スカートである。
【０００９】
第３の考案は、第１または第２の考案において、ポケットが着衣時に内側になる側に付けた巻スカートである。
【００１０】
第４の考案は、第１〜第３のいずれかの考案において、長辺の一辺にポケットを付けた巻スカートである。
【考案の効果】
【００１１】
本発明の巻スカートには、タオル地にすることにより、スカートそのものにより、汗をふくことができる。パンツの上に着用するため、タオル地にする場合は、屋外でも、他人の目を気のすることなく、簡単に着脱できる。従来からの汗を拭く機能を持たせたシャツに比較して簡単であり、洗濯機で丸洗いできるため、清潔な状態を保つことが容易である。
【００１２】
ポケットの内部に仕切りを付け、例えば例えば大きい広いポケットと、小さいポケットとし、おおきい方のポケットには、夏には保冷袋をいれ体を冷やし、また、冬にはカイロを入れ体を暖めることができる。タオルにアロマオイルを２，３滴落とすと爽やかな気分になれます。一方、小さい方のポケットには、鍵、小銭等を入れる等の使用方法が提案できる。いずれにしても、手ぶらでウオーキングやジョギングをすることができる。
【００１３】
ウエストはゴムでサイズの調整が容易に行えるようにすることにより、着脱性、汎用性が増加する。軽い仕上げになっているので、生地を変えることにより、室内、室外などさまざまな生活場面で使用できる。
【図面の簡単な説明】
【００１４】
【図１】本考案の巻スカートを着た状態を示す図
【図２】本考案の巻スカートを着た状態を示す図（内部の状態）
【図３】本考案の巻スカートを着ていない状態を示す図
【図４】本考案の巻スカートを内側より見た図
【図５】本考案のポケットを示す図
【図６】本考案のポケットにあて布をつけた状態を示す図
【考案を実施するための形態】
【００１５】
1枚の長方形の布の長辺の一方を上側（着た時にウエストにあたる一辺）とし、ポケットを付ける。ポケットの入り口は先の長辺と並行になるようにする。この長辺には長辺方向に収縮するためのゴムを付け、両側にはカギホック、ボタン、ドットボタン、マジックテープ(登録商標）等を付ける。ポケットが内側になるように、また、後中心にくるようにして、前開き巻スカートとして着る。布地をタオル地にすることにより、汗拭きになる。寒い時には、ポケットにカイロをいれることができます。
【実施例】
【００１６】
９号体型用としての実施例を示す。横（長辺）１３６ｃｍ、（縫い代６ｃｍを含む）、縦（短辺）３４．５ｃｍ（縫い代４．５ｃｍを含む）のタオル地を用意した。ポケット用の布として縦２６ｃｍ、横１５ｃｍ、また、当て布用として縦１０ｃｍ、横２６ｃｍを各、1枚づつ用意した。
【００１７】
まず、図４に示すように、本体（１）となるタオル地の縦横にオーバーロックをかけた。ついで、図５に示すようなポケットを作った。縦２６ｃｍの内、ふたの部分になる４ｃｍを残して２つ折りにした。その後、各辺より１ｃｍで縫ってひっくり返し、ふたの部分にオーバーロックをかけた。このポケット(４)は大きなポケット(５)と、小さいポケット（６）に分割した。ふたの部分（７）にボタンホール（８）を、ポケットの本体にボタン（９）をつけた。
【００１８】
図３は本体（１）にポケット（５）を取り付けるためのあて布（１０）をポケットにつけた状態を示した。あて布部分をポケットの外に出た部分をウエストの中にウエストゴムと一緒に挟み込んだ。（なお、ここで、ウエストとは、本体の上部で、ウエストにあたる部分を指すものとした。）
【００１９】
本体（１）のウエスト（１１）に３．５ｃｍのステッチをかける。また、裾（１２）を１ｃｍでステッチする。また、両側（１３）を３ｃｍでステッチする。前中心は、マジックテープ(登録商標）で仕上げる。
【００２０】
図１に本考案の本体（巻スカート）（１）を巻いた状態を示した。パンツ（２）の上の重ねて着て、上部はＴシャツ（３）の下に隠れた状態である。図２には、Ｔシャツ（３）に隠れた部分を破線で示した。図３には巻スカートをつける前の状態をしめした。
【産業上の利用可能性】
【００２１】
本願考案の巻スカートは、優れた機能性、ファッション性を有しており、また、着衣の上から装着可能であり、幅広く利用されることが期待される。
【符号の説明】
【００２２】
・  本体(巻スカート)
・  パンツ
・  Ｔシャツ
・  ポケット
・  ポケット大
・  ポケット小
・  ポケットのふた
・  ボタン
・  ボタンホール
・  あて布
・  ウエスト
・  裾
・  両側
【図１】
0003177723.tif 000003
【図２】
0003177723.tif 000004
【図３】
0003177723.tif 000005
【図４】
0003177723.tif 000006
【図５】
0003177723.tif 000007
【図６】
0003177723.tif 000008